(57)【要約】【課題】帯域制限された原信号に高調波を付加する際に、原信号の再生上限周波数を容易に特定し、常に最適な高調波付加効果が得られる再生装置を提供する。【解決手段】制御手段３の音源モード検出手段８は、音源１より楽曲の音源モード情報を取得する。高調波付加パラメータ選択手段１１は高調波付加パラメータ保持手段１０の中から楽曲の音源モードに応じて設定すべきパラメータを選択し、高調波付加手段６に送信する。高調波付加手段６が受信したパラメータを用いて原信号に高調波を付加することによって、音源モードに応じて常に最適な高調波付加効果が得られる。【選択図】  図１
2005025875.tif 000002
【特許請求の範囲】
【請求項１】
周波数帯域が異なる複数の音源モードを有し、
音源の再生に際して高音域の再生信号が不自然にならないよう高調波を付加するように構成した再生装置であって、
前記複数の音源モードのそれぞれの再生信号の周波数帯域に最適な高調波付加のパラメータを保持する高調波付加パラメータ保持手段と、
前記音源の再生信号から音源モードを検出する音源モード検出手段と、
前記高調波付加パラメータ保持手段に保持された高調波付加パラメータを前記音源モード検出手段により検出された再生中の音源モードに対応して選択するパラメータ選択手段と、
前記パラメータ選択手段により選択された高調波付加パラメータに対応して高調波を発生し再生中の音源信号に付加する高調波付加手段とを備えることを特徴とする再生装置。
【請求項２】
前記高調波パラメータ保持手段は、さらに、高調波付加パラメータを各音源モードにおいて複数設定できることを特徴とする請求項１記載の再生装置。
【請求項３】
前記音源モード検出手段は、ＭＤに記録された楽曲のトラックモードを音源モードとすることを特徴とする請求項１記載の再生装置。
【発明の詳細な説明】
【０００１】
【発明の属する技術分野】
本発明は、コンパクトディスク（以下ＣＤ）プレーヤーやミニディスク（以下ＭＤ）レコーダーなどに代表される音楽再生装置に関するものである。
【０００２】
【従来の技術】
デジタルオーディオ信号は一般に、サンプリング周波数やビットレートによって高音の再生可能帯域が制限されている。このように帯域制限された信号に高調波を付加して再生帯域を拡張する技術としては、特許文献１の特開平７−９３９００号公報に記載されたものがある。これは記録媒体から読み出されて得られたＰＣＭデジタルオーディオ信号のサンプリング周波数ｆｓの１／２以下の読み出し原信号成分のみをオーバーサンプリングローパスフィルタによって抽出し、この抽出オーディオ信号と、その絶対値成分を含む信号とを乗算することにより高調波成分を生成して、その高調波成分のうちのｆｓ／２以上の高調波成分を抽出して読み出し原信号成分に重畳するものである。
【０００３】
一方、高調波を付加するためには帯域制限された信号の再生上限周波数を特定する必要がある。ＣＤでは上限周波数は約２０ｋＨｚに固定されるが、ＭＤのように再生上限周波数が固定できない場合に上限周波数を特定する手段としては、特許文献２の特開２００１−３５６７８８号公報に記載されたものがある。
【０００４】
【特許文献１】
特開平７−９３９００号公報（全文）
【特許文献２】
特開２００１−３５６７８８号公報（全文）
【０００５】
【発明が解決しようとする課題】
上記特許文献２に記載の再生上限周波数の特定手段においては、再生中にリアルタイムでのスペクトル演算処理を必要としているが、この方法では処理速度の大きいＣＰＵを必要とし、コストも高くなり、必然的に消費電力も増大する。
【０００６】
本発明は、携帯オーディオ機器のように処理速度・消費電力に制約がある再生装置において、再生中のリアルタイムでの演算処理を行うことなく、高調波付加のための再生上限周波数を特定する手段を提供することを目的としてなされたものである。
【０００７】
【課題を解決するための手段】
この課題を解決するために本発明の再生装置は、基本の構成として、周波数帯域が異なる複数の音源モードを有し、その音源の再生に際して高音域の再生信号が不自然にならないよう高調波を付加するように構成した再生装置であって、前記複数の音源モードのそれぞれの再生信号の周波数帯域に最適な高調波付加のパラメータを保持する高調波付加パラメータ保持手段と、前記音源の再生信号から音源モードを検出する音源モード検出手段と、前記高調波付加パラメータ保持手段に保持された高調波付加パラメータを前記音源モード検出手段により検出された再生中の音源モードに対応して選択するパラメータ選択手段と、前記パラメータ選択手段により選択された高調波付加パラメータに対応して高調波を発生し再生中の音源信号に付加する高調波付加手段とを備えることを特徴とする再生装置としたものであり、音声信号に対する演算処理を行うことなく、楽曲の音源モード情報のみによって高調波付加のための最適なパラメータを設定することができるという作用を有する。
【０００８】
また本発明の再生装置は、上記基本の構成において、高調波パラメータを各音源モードにおいて複数設定できるように構成できるものであり、これにより高調波付加効果の強弱などをユーザー操作によって随時変更できるという作用を有する。
【０００９】
また本発明の再生装置は、上記基本の構成において、ＭＤに記録された楽曲のトラックモードを音源モードとすることを特徴とするものであり、この構成によれば、異なるトラックモードにて録音された複数の楽曲を連続して再生する場合においても容易に最適な高調波付加のパラメータを設定できるという作用を有する。
【００１０】
【発明の実施の形態】
以下本発明の実施の形態について、ＭＤに適用した場合について図面を用いて説明する。
【００１１】
（実施の形態１）
図１は本発明の実施の形態１における再生装置のブロック図、図２はＳＰモードおよびＭＯＮＯモードにおける再生信号の周波数特性模式図、図３はＬＰ２モードにおける再生信号の周波数特性模式図、図４はＬＰ４モードにおける再生信号の周波数特性模式図、図５は再生時の制御手段による高調波付加パラメータ選択、設定のフローチャートである。
【００１２】
図１の再生装置において、ＭＤディスクなどの記憶媒体による音源１、音源１から図示しないピックアップを用いて信号を再生する再生手段２、少なくとも再生手段２を制御する制御手段３、再生手段２のオーディオ出力を音声に変換するスピーカやヘッドホンなどの音声出力手段４を備えている。
【００１３】
再生手段２は、図示しないピックアップによって音源１から再生信号を得、それをデジタル化してＥＦＭ復調、誤り訂正などを行ってデジタルオーディオ信号を出力する復調復号手段５、復調復号手段５の出力のデジタルオーディオ信号に高調波を付加する高調波付加手段６、高調波付加手段６で高調波を付加されたデジタルオーディオ信号をアナログデジタルオーディオ信号に変換し増幅して音声出力手段４に出力する増幅手段７を有する。
【００１４】
高調波付加手段６の構成や原理は、すでに特許文献１などに示された公知の技術であるので、説明は省略する。
【００１５】
制御手段３は、音源１の再生信号から得たＴＯＣ／ＵＴＯＣデータから楽曲に対応する音源モードであるトラックモードを検出する、音源モード検出手段８、検出したトラックモードを楽曲と対応して記憶するＲＡＭ９、各トラックモードに対応して、高調波に帯域制限をかけるハイパスフィルタの遮断周波数と遮断特性、原信号に対する高調波付加レベル等を組にしてＲＯＭなどの不揮発性メモリに記憶している高調波付加パラメータ保持手段１０、高調波付加パラメータ保持手段１０から再生する楽曲に対応する高調波付加パラメータを選択するパラメータ選択手段１１を有する。高調波付加特性切替用入力キー１２は実施の形態２においてユーザーが高調波付加特性を切り替えるために用いる。
【００１６】
以上のように構成された本発明の再生装置について、以下その動作を説明する。ＭＤの規格には音源モードとしてＳＰ、ＭＯＮＯ、ＬＰ２、ＬＰ４の４つのトラックモードがある。ＳＰモードおよびＭＯＮＯモードにおける再生信号の周波数特性を示す図２で、高調波を付加する前の原信号の周波数特性を実線１３、付加すべき高調波の周波数特性を実線１４で示す。ＬＰ２モードにおける再生信号の周波数特性を示す図３で、高調波を付加する前の原信号の周波数特性を実線１５、付加すべき高調波の周波数特性を実線１６で示す。またＬＰ４モードにおける再生信号の周波数特性を示す図４で、高調波を付加する前の原信号の周波数特性を実線１７で、付加すべき高調波の周波数特性を実線１８で示す。
【００１７】
図２〜図４に示すように、一般にＭＤの再生信号の上限周波数はＳＰ・ＭＯＮＯでは約１６ｋＨｚ、ＬＰ２では約１４ｋＨｚ、ＬＰ４では約１２ｋＨｚに制限されている。従って、高調波を付加する際にはこれらの上限周波数以上の帯域に高調波を帯域制限して原信号に付加する必要がある。本実施形態では、トラックモードごとの高調波付加パラメータは制御手段３の高調波付加パラメータ保持手段１０にあらかじめ保持しておく。
【００１８】
なお、図２〜図４において、高調波を付加する前の原信号の周波数特性と、付加すべき高調波の周波数特性はクロスオーバーするように表現しているが、両者は重畳しないようにしても差し支えない。
【００１９】
ＭＤディスクを図示しないディスク読み取り手段に挿入すると、再生手段は図示しないピックアップを用いてディスクに記録されているＴＯＣ／ＵＴＯＣデータを読み出し、読み出されたＴＯＣ／ＵＴＯＣデータは制御手段３の指示により復調復号手段５から制御手段３内のＲＡＭ９へ保存される。ＴＯＣ／ＵＴＯＣデータをＲＡＭ９に保存することで、ディスクに記録された全楽曲のトラックモードを常時参照可能となり、楽曲の再生中においてもディスクのＴＯＣ／ＵＴＯＣ領域にアクセスすることなくトラックモードの検出を行うことができる。
【００２０】
図５において、ステップ５１においてディスクに記録された任意の楽曲の再生を開始すると、ステップ５２において制御手段３は音源モード検出手段８を用いてＲＡＭ９に保持されているＴＯＣ／ＵＴＯＣデータから該楽曲のトラックモードを読み出す。つぎに高調波付加パラメータ選択手段１１を用いてあらかじめ設定・保持された高調波付加パラメータ保持手段１０から、読み出されたトラックモードに対応する高調波付加パラメータを選択する。ステップ５３で音源モードがＳＰであるかどうかを検討し、ＳＰであればステップ５４でＳＰ用パラメータを選択する。ステップ５３で音源モードがＳＰでないときはステップ５５でＭＯＮＯであるかどうかを検討し、ＭＯＮＯであればステップ５６でＭＯＮＯ用パラメータを選択する。ステップ５５で音源モードがＭＯＮＯでないときはステップ５７でＬＰ２であるかどうかを検討し、ＬＰ２であればステップ５８でＬＰ２用パラメータを選択する。ステップ５７で音源モードがＬＰ２でないときはステップ５９でＬＰ４であるかどうかを検討し、ＬＰ４であればステップ６０でＬＰ４用パラメータを選択する。ステップ５９でＬＰ４でなければステップ５３に戻る。ステップ５４、５６、５８、６０でパラメータが設定されていればステップ６１で再生手段２の高調波付加手段６に該パラメータを設定する。再生手段２の高調波付加手段６は、制御手段３より設定された高調波付加パラメータとして、高調波に帯域制限をかけるハイパスフィルタの遮断周波数と遮断特性、原信号に対する高調波付加レベルとを設定し、高調波付加手段６により原信号に高調波を付加された再生信号が増幅手段７によりアナログ変換され増幅されて音声出力手段４へ出力される。演奏中の楽曲の終了またはユーザーからの操作によって別の楽曲の再生へ切り替わると、制御手段３は再び音源モード検出手段８を用いて該楽曲のトラックモードをＲＡＭ９から読み出し、上記手順と同様にして高調波付加パラメータを再生手段２の高調波付加手段６に設定する。
【００２１】
以上のように本実施形態によれば、楽曲のトラックモードに応じて自動的に高調波付加パラメータを切り替えてハイパスフィルタの遮断周波数や遮断特性と、原信号に対する高調波付加音量レベルとを設定することができ、常に最適な高調波付加効果を得ることができる。
【００２２】
（実施の形態２）
次に、図６は第２の実施の形態における高調波付加特性の切り替えの模式図を示し、図６において、あるトラックモードにおける高調波付加前の原信号の周波数特性を実線１９で、付加する高調波の周波数特性を実線２０ａ、２０ｂ，２０ｃで示す。再生装置は、実施の形態１と同様、図１の構成を用いる。
【００２３】
本実施形態では、トラックモードごとに何通りかの高調波付加パラメータを制御手段１内にあらかじめ用意しておく。再生中または停止中にユーザーが高調波付加特性切替用入力キー１２によって高調波付加の特性を切り替える操作をすると、制御手段３は該当する特性を持つ高調波付加パラメータを各トラックモードについて高調波付加パラメータ保持手段１０から選択する。
【００２４】
その後、再生する、または再生している楽曲のトラックモードに応じてパラメータ選択手段１１により高調波付加パラメータを選択し、再生手段２の高調波付加手段６に該高調波付加パラメータを設定することによって、高調波付加の特性を切り替えることができる。
【００２５】
なお、本実施形態では、高調波付加パラメータはあらかじめ用意された数パターンの中からユーザーが選択するようになっているが、さらに特性選択の自由度を高めるために、高調波パラメータ自体をユーザーが指定する構成も考えられる。
【００２６】
また、上記各実施形態において、高調波付加パラメータは、例示したハイパスフィルタの遮断周波数や遮断特性と、原信号に対する高調波付加音量レベルだけでなく、たとえば高調波付加音量レベルを周波数帯域ごとに変える等の変更を加えても良い。
【００２７】
さらに上記各実施形態ではＭＤの場合を例に用いて説明したが、ＣＤのに場合も適用でき、また上記各実施形態と同様な形で音源から音源モードを得られる再生装置にも適用できるものである。
【００２８】
【発明の効果】
以上説明したように本発明の再生装置によれば、楽曲の音源モードを音源から検出してこの音源モードに応じて高調波パラメータを選択し、この高調波パラメータに対応して再生中の音源信号に高調波を付加するので、常に最適な高調波付加効果を得ることができるという有利な効果が得られ、またユーザーが高調波パラメータを選択することも可能である。
【図面の簡単な説明】
【図１】本発明の一実施の形態における再生装置のブロック図
【図２】同じくＭＤのトラックモードがＳＰモードまたはＭＯＮＯモードの場合の再生信号の周波数特性模式図
【図３】同じくＭＤのトラックモードがＬＰ２モードの場合の再生信号の周波数特性模式図
【図４】同じくＭＤのトラックモードがＬＰ４モードの場合の再生信号の周波数特性模式図
【図５】同じく再生時の制御手段による高調波付加パラメータ選択、設定のフローチャート
【図６】本発明の実施の形態２における高調波付加特性の切り替えの模式図
【符号の説明】
１  音源
２  再生手段
３  制御手段
４  音声出力装置
５  復調復号手段
６  高調波付加手段
７  増幅手段
８  音源モード検出手段
９  ＲＡＭ
１０  高調波付加パラメータ保持手段
１１  パラメータ選択手段
１２  高調波付加特性切替用入力キー
【図１】
2005025875.tif 000003
【図２】
2005025875.tif 000004
【図３】
2005025875.tif 000005
【図４】
2005025875.tif 000006
【図５】
2005025875.tif 000007
【図６】
2005025875.tif 000008